(57)【要約】      （修正有）【課題】風力にかかわり無く布団の下面から上面に熱風を万遍なく通気できる布団乾燥機用乾燥袋を提供する。【解決手段】布団乾燥機用乾燥袋は、線ファスナー１１により開閉自在な開口を有し、布団を広げた状態で収納することができる袋本体１０と、袋本体の内部下面上に、少なくとも布団が当該下面に接触しないように配置され、上面に複数の開口が形成された硬質なパイプを有し袋本体外部に設けられた空気流入口２３に連通する流路を形成する空気流入管２０とより構成される。【選択図】図１
0003188595.tif 000002
【実用新案登録請求の範囲】
【請求項１】
内部に布団を入れることができる開閉自在な開口を有し、当該布団を広げた状態で収納することができる袋本体と、
前記袋本体の内部下面上に、少なくとも前記布団が当該下面に接触しないように支持できるように配置される、上面に複数の開口が形成された硬質なパイプを有し、前記バッグ本体外部に設けられる空気流入口に連通する流路を形成する空気流入管と
を有する布団乾燥機用乾燥袋。
【請求項２】
前記空気流入管は、略真っ直ぐな形状の複数の前記硬質なパイプを互いに平行に配置し、当該硬質パイプの開口同士を軟質のパイプで連結することで一連なりの蛇行した流路を形成するものである請求項１に記載の布団乾燥機用乾燥袋。
【請求項３】
請求項１又は２に記載の布団乾燥機用乾燥袋を備えてなる布団乾燥機。
【考案の詳細な説明】
【技術分野】
【０００１】
本考案は、布団乾燥機に用いられる乾燥袋に関し、特に乾燥袋内部に布団を収納した状態で乾燥させるものに関する。
【背景技術】
【０００２】
一般的な布団乾燥機は、暖められた空気が吹き込まれる乾燥袋を敷き布団と掛け布団の間に挟むことで乾燥を行なっている。しかし、このような構造では乾燥袋に接触している面はよく乾燥する一方で、乾燥袋から離れている面の乾燥は十分に行なわれないという問題が生じる。特に、敷き布団の裏面は床により通気ができず、こちら側に熱風が抜けないためうまく乾燥させることが難しい。
これに対して、下記特許文献１から５には布団を広げた状態で乾燥袋内部に収納して内部に温風を吹き込む考案が示されている。このような考案であれば布団の周囲の温度全体が高くなるので、より布団を乾燥させることができる。
しかし、特許文献１、２に記載の考案は布団を乾燥袋内部に広げた状態で収納した袋内部に熱風を送り込むものであるが、布団の下面は塞がった状態なので布団の下面は十分に乾燥できないという問題がある。これに対して、特許文献３、４に記載の考案は布団の下面に突起を並べることで布団の下面を浮かせることが示されている。このような構造によれば布団の下面にも高温の空気が充満するので布団下面の乾燥も十分に行なえる。しかしながら、このような構造であっても布団の外周は暖められるけれども布団内部は空気が通らないので、乾燥が不十分になる恐れがある。これに対して、特許文献５に記載の考案は、乾燥袋を上下の２層に分け、上層に布団を収納するととともに下層に熱風を送り込む構造を採用している。このような構造によれば熱風は布団の下面から上方に通るので布団内部に高温の空気が通ることとなり、布団内部も十分に乾燥させることができると考えられる。
【先行技術文献】
【特許文献】
【０００３】
【特許文献１】特開平６−７９４９２号公報
【特許文献２】特開平７−３７０９１号公報
【特許文献３】特開平２−４８０９５号公報
【特許文献４】特開平２−２１８３９７号公報
【特許文献５】特開平２−１５９２９８号公報
【考案の概要】
【考案が解決しようとする課題】
【０００４】
ところで、特許文献５に記載の考案では、布団の載った下層を温風で膨らませなければならないが、重い敷き布団を浮き上がらせるためには大きな風力が必要となり、風力が不十分な場合、通気口に近い部分のみ浮き上がり、通気口に遠い部分は十分に乾燥できない恐れがあると考えられる。
本考案は、このような問題に鑑みて、布団を内部に収納する乾燥機用の乾燥袋において風力にかかわり無く布団の下面から上面に熱風を万遍なく通気できるようにすることを課題とする。
【課題を解決するための手段】
【０００５】
上記課題を解決するために、本考案は次のような構成を有する。
請求項１に記載の考案は、内部に布団を入れることができる開閉自在な開口を有し、当該布団を広げた状態で収納することができる袋本体と、前記袋本体の内部下面上に、少なくとも前記布団が当該下面に接触しないように支持できるように配置される、上面に複数の開口が形成された硬質なパイプを有し、前記バッグ本体外部に設けられる空気流入口に連通する流路を形成する空気流入管とを有する布団乾燥機用乾燥袋である。
請求項２に記載の考案は、前記布団乾燥機用乾燥袋において、前記空気流入管は、略真っ直ぐな形状の複数の前記硬質なパイプを互いに平行に配置し、当該硬質パイプの開口同士を軟質のパイプで連結することで一連なりの蛇行した流路を形成するものである。
請求項３に記載の考案は、前記布団乾燥機用乾燥袋を備えてなる布団乾燥機である。
【考案の効果】
【０００６】
以上のような構成により、本考案は次のような効果を奏する。
請求項１に記載の考案は、袋本体内部の空気流入管上に布団を設置して袋本体を閉じ、空気流入管を布団乾燥機本体に接続して熱風を送り込むと、熱風は空気流入管が構成する流路を通って硬質パイプの上方に設けられた穴から放出され、直上にある布団内部を通って布団の上面から袋本体内部へと流入し、布団内部を乾燥させる。この際、布団の重さは硬質のパイプによって支持されるので熱風を送る風力の加減に関わらず、布団下面の硬質パイプ部分にから確実に布団内部へと熱風を送り込むことができる。
請求項２に記載の考案は、硬質パイプを並行にならべ、硬質パイプ同士は軟質のパイプで連結することで硬質パイプ同士間が拘束されなくなるので、布団乾燥機用乾燥袋全体を硬質パイプを束ねるようにして丸めて収納することができる。
請求項３に記載の考案は、上記効果を奏する布団乾燥機を得ることができる。
【図面の簡単な説明】
【０００７】
【図１】実施形態に係る布団乾燥機の斜視図である。
【図２】布団乾燥機用乾燥袋内の空気流入管を示す斜視図である。
【図３】使用状態を示す布団乾燥機用乾燥袋の縦断面図である。
【考案を実施するための形態】
【０００８】
以下、本考案の実施の形態について、図面を参照しながら説明する。
図１に実施形態に係る布団乾燥機Ｄの斜視図を示す。布団乾燥機Ｄは一般的な布団乾燥機と同じ熱風を送風する乾燥機本体Ｍと、乾燥機本体ＭとフレキシブルパイプＰで連結される乾燥袋Ｘとから構成される。
乾燥袋Ｘは、袋本体１０と、空気流入管２０とから構成される。袋本体１０は布団を広げた状態で内部に収納できる大きさ及び形状を有する扁平な直方体状の袋であり、側縁の一定範囲が、線ファスナー１１で開閉自在に形成されることで布団を内部に入れることができるようになっている。袋本体１０は目の細かい合成樹脂の織り布により形成されることで、内部に空気が送り込まれると膨らむことができる一方で、表面全体の布の目から内部の空気が排出されるようになっている。
【０００９】
空気流入管２０は袋本体１０内に設けられる管体で、一端側が空気流入口として外周縁は気密性を保った状態で袋本体１０の側面から外部に表出している。図２に空気流入管２０の斜視図を示す。空気流入管は、等間隔で平行に配列される硬質の合成樹脂パイプからなる主管２１、一端側が空気流入口となる入り口管２３、主管２１同士及び主管２１と入り口管２２とを連結する軟質の合成樹脂パイプからなる連結管２２とから構成される。連結管２２は主管２１を互い違いに連結することで、空気流入管２０は全体として蛇行した分岐しない一本の流路を形成する。なお、当該流路の端部を構成する主管２１の端部は閉じられている。主管２１の上面には一定間隔で穴２１ａが設けられている。また、主管２１は下面で袋本体１０の内面に接着固定されている。これにより袋本体１０を広げると、主管２１は平行に並び図２に示すような状態とできる。また、連結管２２は軟質の素材により形成されており、袋本体１０も柔らかい織り布であるので、収納に際しては主管２１同士を近づけることができるので、袋本体１０全体を主管２１に平行な軸回りに巻いて小さくすることができる。
【００１０】
次に、以上のような構成を有する乾燥袋Ｘの使用方法について説明する。使用者は、まず、袋本体１０を床に広げた後に、袋本体１０の線ファスナー１１を開き、空気流入管２０の上に布団を広げた状態で置く。次に、空気流入管２０の入り口管２３と布団乾燥機本体ＭとをパイプＰで連結した後に、乾燥機本体Ｍを作動させる。図３に布団Ｃを収納した状態の乾燥袋Ｘの模式的な縦断面図を示す。図に示すように乾燥機本体Ｍから送られる熱風は主管２１の穴２１ａから上方へと送られ、布団Ｃ内を通って袋本体１０へと流入していく。このように布団Ｃ内に直接熱風が通ることで、布団内を効率的に乾燥できるととともにダニ等も適宜退治することができる。また、硬質パイプからなる主管２１により布団Ｃが支えられ空気流路がつぶれることなく確保されるので、乾燥機本体Ｍの送風量の強さを問わず、布団全面に熱風を送ることができ、乾燥機本体Ｍの負担も抑制することができる。一定時間、乾燥機本体Ｍを作動させて十分な乾燥が完了したら、袋本体１０から布団Ｃを取り出したあと、袋本体１０を丸めて収納すれば作業は完了する。
【００１１】
なお、上記実施形態では、主管は丸パイプを用いているが、角パイプ等他の断面形状のパイプを用いてもよい。また、角パイプを用いる際には、袋本体１０に接触する底面は無くてもよい。また、主管に形成される穴の大きさや形状、数は適宜変更することができる。
【符号の説明】
【００１２】
Ｘ  乾燥袋
Ｄ  布団乾燥機
Ｍ  乾燥機本体
１０  袋本体
２０  空気流入管
２１  主管
２１ａ  穴
２２  連結管
【図１】
0003188595.tif 000003
【図２】
0003188595.tif 000004
【図３】
0003188595.tif 000005